【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
熱可塑性ポリマー鎖に沿って架橋性アルケン側基；および
ポリチオール架橋剤；
を含み、熱可塑性であり、かつチオール−エン反応を介するアルケン基と前記ポリチオール架橋剤との架橋が、ひずみ回復を示す熱作動形状記憶特性を有する熱硬化性ポリマーを生成するように構成され、
前記熱硬化性ポリマーは、ポリ（チオエーテル−コ−ウレタン）、ポリ（チオエーテル−コ−エステル）またはこれらの混合物の少なくとも１つである熱可塑性ポリマー組成物。
【請求項２】
前記熱硬化性ポリマーがポリ（チオエーテル−コ−ウレタン）である請求項１に記載の熱可塑性ポリマー組成物。
【請求項３】
前記熱硬化性ポリマーがポリ（チオエーテル−コ−エステル）である請求項１に記載の熱可塑性ポリマー組成物。
【請求項４】
前記熱硬化性ポリマーが、ポリ（チオエーテル−コ−ウレタン）およびポリ（チオエーテル−コ−エステル）を含む請求項１に記載の熱可塑性ポリマー組成物。
【請求項５】
前記熱硬化性ポリマーはポリ（チオエーテル−コ−ウレタン）及びポリ（チオエーテル−コ−エステル）の混合物を含み、
前記熱可塑性ポリマー組成物は少なくとも１つのモノマーを含み、
前記少なくとも１つのモノマーは、ヘキサメチレンジイソシアネート（ＨＤＩ）、トリメチルヘキサメチレンジイソシアネート（ＴＭＨＤＩ）、ジシクロヘキシルメタン４，４’−ジイソシアネート（ＤＣＨＭＤＩ）、イソホロンジイソシアネート（ＩＰＤＩ）、２−ブテン−１，４−ジオール（２−ブタ）、ジエチレングリコール（ＤＥＧ）、ジエタノールアミン（ＤＥＡ）、４−ジメチルアミノピリジン（ＤＭＡＰ）、トリエチルアミン（ＴＥＡ）、アリルアルコール（ＡＡ）、トリメチロールプロパンアリルエーテル（ＴＭＰＡＥ）、３−メチル−１，５−ペンタンジオール（３−ＭＰＤ）、ジエチレングリコール（ＤＥＧ）、３−メチル−ペンタンジオール（３−ＭＰＤ）、１，４−ブタンジオール（１，４−ＢＤ）、２−メチルプロパンジオール（２−ＭＰＤ）、２，２’−ジメチルプロパンジオール（２，２−ＤＭＰＤ）、１，４−シクロヘキサンジメタノール（ＣＨＤＭ）またはこれらの組み合わせの少なくとも１つを含む請求項４に記載の熱可塑性ポリマー組成物。
【請求項６】
トリメチロールプロパンアリルエーテル（ＴＭＰＡＥ）を含む請求項４に記載の熱可塑性ポリマー組成物。
【請求項７】
トリメチロールプロパンアリルエーテル（ＴＭＰＡＥ）を含む請求項１に記載の熱可塑性ポリマー組成物。
【請求項８】
前記ポリチオール架橋剤は、エチレングリコールビス（３−メルカプトプロピオネート）（ＥＧＢＭＰ）、ジペンタエリトリトールヘキサキス（３−メルカプトプロピオネート）（ＤＰＨＭＰ）、トリメチロールプロパントリス（３−メルカプトプロピオネート）（ＴＭＰＴＭＰ）、トリス［２−（３−メルカプトプロピオニルオキシ）エチル］イソシアヌレート（３ＴＩ）、ペンタエリトリトールテトラキス（３−メルカプトプロピオネート）（ＰＥＴＭＰ）またはこれらの組み合わせの少なくとも１つを含む請求項１に記載の熱可塑性ポリマー組成物。
【請求項９】
開始剤を含み、当該開始剤は前記熱硬化性ポリマーを生成するチオール−エン反応を開始するように構成された、ＵＶ光開始剤または熱開始剤のうちの少なくとも１つを含む請求項１に記載の熱可塑性ポリマー組成物。
【請求項１０】
ポリオールモノマーを請求項１に記載の熱可塑性ポリマー鎖を生成するのに適したモノマーと混合するステップ；
ポリオールとモノマーとの重合を開始して、請求項１に記載の熱可塑性ポリマー鎖を生成するステップ；
前記熱可塑性ポリマー鎖を請求項１に記載のポリチオール架橋剤および開始剤ドーパントとブレンドするステップ；
光または熱の少なくとも１つを用いて前記熱可塑性ポリマー鎖の架橋を開始し、架橋ポリマーを生成するステップ；および
前記架橋ポリマーを硬化して、請求項１に記載の熱硬化性のポリ（チオエーテル−コ−ウレタン）または熱硬化性のポリ（チオエーテル−コ−エステル）を生成するステップ
を含む、形状記憶ポリマー組成物の製造方法。
【請求項１１】
前記モノマーはジイソシアネートモノマーであり、前記熱可塑性ポリマー鎖は熱可塑性のポリウレタンポリマー鎖であり、硬化した前記架橋ポリマーは請求項１に記載の熱硬化性のポリ（チオエーテル−コ−ウレタン）である請求項１０に記載の方法。
【請求項１２】
凍結乾燥、高逆相エマルション発泡、物理的発泡、固体または液体の細孔形成剤を利用する細孔テンプレート化、溶液紡糸、ステレオリソグラフィによるパターン形成、マイクロ押出またはインクペン印刷、３Ｄマイクロドットベースの印刷、レーザ加工、エレクトロスピニング、クリオゲル化、超臨界ガス発泡またはこれらの組み合わせの少なくとも１つにより、前記熱可塑性ポリマー鎖を多孔質構造に加工することを含む請求項１１に記載の方法。
【請求項１３】
前記ドーパントが、光活性化されたもの、または熱的に開始されたもののうちの少なくとも１つであり、前記ブレンドしたポリマーにＵＶ光を照射するか、または加熱して、前記架橋ポリマーを生成することを含む請求項１１に記載の方法。
【請求項１４】
溶液流延、溶液紡糸、ディップコーティング、熱成形、圧縮成形、射出成形、押出またはフィルムブローイングの少なくとも１つを用いて前記熱可塑性ポリマー組成物を加工することを含む請求項１１に記載の方法。
【請求項１５】
ポリ（チオエーテル−コ−ウレタン）またはポリ（チオエーテル−コ−エステル）のうちの少なくとも１つを含むチオール−エン架橋熱硬化性形状記憶ポリマー（ＳＭＰ）；
を含み、
前記ＳＭＰが、近位部分、遠位部分、および前記近位部分を前記遠位部分に結合する中位部分を含み；
前記ＳＭＰが、前記近位、中位および遠位部分に均一に分布した第１の添加剤を含む装置。
【請求項１６】
前記第１の添加剤が、光開始剤または熱開始剤のうちの少なくとも１つを含む請求項１５に記載の装置。
【請求項１７】
前記ＳＭＰが、前記近位、中位および遠位部分に均一に分布した第２の添加剤を含み、かつ前記第２の添加剤が、レーザ吸収色素、レーザ吸収粒子、光拡散粒子、放射線不透過粒子、タンパク質、治療薬またはこれらの組み合わせの少なくとも１つを含む請求項１６に記載の装置。
【請求項１８】
前記第１の添加剤が、前記近位部分に第１の濃度で、前記中位部分に第２の濃度で、および前記遠位部分に第３の濃度で均一に存在し；ならびに
前記第１、第２および第３の濃度が概して互いに等しい請求項１６に記載の装置。
【請求項１９】
前記第１の添加剤が、レーザ吸収色素、レーザ吸収粒子または光拡散粒子の少なくとも１つを含む請求項１５に記載の装置。
【請求項２０】
前記ＳＭＰが、前記ポリ（チオエーテル−コ−ウレタン）を含むが、前記ポリ（チオエーテル−コ−エステル）は含まない請求項１５に記載の装置。
【請求項２１】
前記ＳＭＰが、前記ポリ（チオエーテル−コ−エステル）を含むが、前記ポリ（チオエーテル−コ−ウレタン）は含まない請求項１５に記載の装置。
【請求項２２】
前記ＳＭＰが、前記ポリ（チオエーテル−コ−ウレタン）および前記ポリ（チオエーテル−コ−エステル）を含む請求項１５に記載の装置。
【請求項２３】
ポリマー鎖に沿って架橋可能な架橋性アルケン基を含む熱可塑性ポリマー；および
ポリチオール架橋剤；
を含み、
前記熱可塑性ポリマーは、チオール−エン反応を介する前記アルケン基と前記ポリチオール架橋剤との架橋が、形状記憶特性を有する熱硬化性ポリマーを生成するように構成される、ポリマー組成物。
【請求項２４】
ポリオールモノマーとモノマーとを混合するステップ；
前記ポリオールとモノマーとの重合を開始して、ポリマー鎖に沿って、架橋可能な共有結合性のアルケン側基を含む熱可塑性ポリマーを生成するステップ；
前記熱可塑性ポリマーをポリチオール架橋剤および開始剤ドーパントとブレンドするステップ；および
光または熱のうちの少なくとも１つを用いて、チオール−エン反応を介する前記熱可塑性ポリマーのアルケン側基の架橋を開始し、ひずみ回復を示す熱作動形状記憶特性を有する架橋された熱硬化性ポリマーを生成するステップ；
を含み、
前記熱硬化性ポリマーは、ポリ（チオエーテル−コ−ウレタン）、ポリ（チオエーテル−コ−エステル）またはこれらの混合物の少なくとも１つである形状記憶ポリマー組成物の製造方法。